(57)【要約】      （修正有）【課題】帯の素材の一部になめし革を用いてきものの雰囲気の中にウェスタン・スタイルの雰囲気を出した、蒸れない着心地の良い二部式帯を提供する。【解決手段】きものを胴部に固定するベルト状の腰帯部１０と、該腰帯部に取り付ける飾り部１２とを備え、該腰帯部の両端部は該両端部を相互に連結する一対の連結部１４を備え、該腰帯部及び該飾り部の表地は可撓性を有するなめし革からなり、該腰帯部及び該飾り部の裏地は布からなり、該腰帯部及び該飾り部の表地と裏地は袋状に縫製され、該腰帯部及び該飾り部の内部にはシート状のクッション材が挿入されている。前記飾り部は、略矩形のお太鼓部２０と、該お太鼓部の裏面に略直角に連結される略矩形のテ部２２とからなる。【選択図】図１
0003159858.tif 000002
【実用新案登録請求の範囲】
【請求項１】
きものを胴部に固定するベルト状の腰帯部と、該腰帯部に取り付ける飾り部とを備え、該腰帯部の両端部は該両端部を相互に連結する一対の連結部を備え、該腰帯部及び該飾り部の表地は可撓性を有するなめし革からなり、該腰帯部及び該飾り部の裏地は布からなり、該腰帯部及び該飾り部の表地と裏地は袋状に縫製され、該腰帯部及び該飾り部の内部にはシート状のクッション材が挿入されていることを特徴とする二部式帯。
【請求項２】
前記飾り部が、略矩形のお太鼓部と、該お太鼓部の裏面に略直角に連結される略矩形のテ部とからなることを特徴とする請求項１に記載の二部式帯。
【請求項３】
前記お太鼓部の一方の端部側である垂れ先側には垂れ部が折り畳み形成され、該垂れ部にはテ部が面ファスナー又は縫製によって連結されていることを特徴とする請求項２に記載の二部式帯。
【請求項４】
前記お太鼓部の他方の端部側である鼻部側の裏面には帯止め固定用ループが設けられていることを特徴とする請求項１〜３のいずれかに記載の二部式帯。
【請求項５】
前記腰帯部の連結部の少なくとも一つは伸縮性のある調整部を介して前記腰帯部の端部に連結されていることを特徴とする請求項１〜４のいずれかに記載の二部式帯。
【請求項６】
前記腰帯部の連結部はホック又は面ファスナーを連結手段としていることを特徴とする請求項１〜５のいずれかに記載の二部式帯。
【考案の詳細な説明】
【技術分野】
【０００１】
本考案は、きものを身体（胴部）に固定する略ベルト状の腰帯部と、該腰帯部に取り付けられる予め形成された飾り部とからなる二部式帯（作り帯）に関するものである。
【背景技術】
【０００２】
昔からの帯は、１本の長い布製の帯の一部を２つ折りにして胴部に何重かに巻き付け、身体の後ろで強く結び、余りの部分でお太鼓などの飾り部を作り、この飾り部は胴部の後ろ側に帯紐で固定するものである。
【０００３】
しかし、この昔からの帯を締めるのは非常に面倒で、手間がかかるだけでなく、身体の後ろで結んだり、飾り部を形成したりするのが難しく、初心者ではきれいな帯姿にならないという欠点がある。このため、予め形が作られた飾り部と、この飾り部を腰の背中側に取り付ける腰帯部とで構成する二部式帯が考えられ、種々の二部式帯（作り帯）が提案されている。
【先行技術文献】
【特許文献】
【０００４】
【特許文献１】特開２００１−９８４０８号公報
【特許文献２】特開平１０−１１０３１５号公報
【特許文献３】特開平１０−３７０１７号公報
【考案の概要】
【考案が解決しようとする課題】
【０００５】
本考案者は、きものの雰囲気の中にウェスタン・スタイル（アメリカの西部開拓時代のスタイル）の雰囲気を出すべく、きもの用の帯を革で作ることを試みた。
【０００６】
まず、昔からの帯を革で作ってみた。帯は胴（腰）の廻りに何重かに巻き付けることになるので、薄い革で作らなければならない。帯を薄い革で作り、この帯を胴（腰）の廻りに巻き付けて実際に締めてみたが、革は布地と比べて風通しが悪い素材なので、身体（胴部）の廻りに何重にも巻くと、身体から出た汗が外に抜け難く、帯の内部が蒸れて濡れ、色落ちしたり、革の臭いが強く漂うようになるという問題があった。
【０００７】
そこで、簡易式の帯である二部式帯を革で作ってみた。しかし、二部式帯を薄いなめし革で作った場合は、なめし革が剛性を持っていないので、二部式帯が型崩れし易く、帯の見栄えが悪いという問題があった。また、二部式帯を厚い皮で作った場合は、腰帯部がごわごわして、腰及び胴の廻りを段ボールで囲ったような、非常に着心地の悪い状態になるという問題があった。
【課題を解決するための手段】
【０００８】
本考案は、きものの雰囲気の中にウェスタン・スタイルの雰囲気を取り入れるべく、二部式帯の表地を薄いなめし革で作り、裏地を布で作り、帯の内部にシート状のクッション材を入れてある程度の厚さを持たせたことを最も主要な特徴とする。
【０００９】
すなわち、本考案に係る二部式帯は、きものを胴部に固定するベルト状の腰帯部と、該腰帯部に取り付ける飾り部とを備え、該腰帯部の両端部は該両端部を相互に連結する一対の連結部を備え、該腰帯部及び該飾り部の表地は可撓性を有するなめし革からなり、該腰帯部及び該飾り部の裏地は布からなり、該腰帯部及び該飾り部の表地と裏地は袋状に縫製され、該腰帯部及び該飾り部の内部にはシート状のクッション材が挿入されていることを特徴とする。
【００１０】
ここで、前記飾り部は、略矩形のお太鼓部と、該お太鼓部の裏面に略直角に連結される略矩形のテ部とからなるようにしてもよい。また、前記お太鼓部の一方の端部側である垂れ先側に垂れ部を折り畳み形成し、該垂れ部にテ部を面ファスナー又は縫製によって連結してもよい。前記お太鼓部の他方の端部側である鼻部側の裏面に帯止め固定用ループを設けてもよい。前記腰帯部の連結部の少なくとも一つを伸縮性のある調整部を介して前記腰帯部の端部に連結してもよい。前記腰帯部の連結部の連結手段としてホック又は面ファスナーを使用してもよい。
【考案の効果】
【００１１】
本考案の二部式帯は、腰帯部及び飾り部の内部にシート状のクッション材が挿入されていて、腰帯部及び飾り部がある程度の厚さを維持しているので、この腰帯部及び飾り部で帯を形成した場合、帯が立体的に維持され易く、腰帯部及び飾り部の表地がやわらかな革からなるにも関わらず、帯が型崩れし難く、きれいな帯姿を維持することができるという利点がある。
【００１２】
また、本考案の二部式帯は、腰帯部や飾り部の裏地が布からなり、腰帯部や飾り部の内部にシート状のクッション材によって空間が形成され、この空間に汗の水蒸気が布を通してある程度保持され、また帯の間から汗が外に逃げるので、腰帯部や飾り部の表地が気密性の高い革からなるにも関わらず、長時間装着していて蒸れ難いという利点がある。
【００１３】
また、本考案の二部式帯は、腰帯部及び飾り部を面倒な手順無くワンタッチで身体に装着することができるので、帯締めに慣れていない女性でも容易に身体に装着することができるという利点がある。
【００１４】
また、本考案の二部式帯は、腰帯部と飾り部の連結手段として面ファスナーを使用している場合、腰帯部に飾り部をワンタッチで簡単に装着することができるという利点がある。
【図面の簡単な説明】
【００１５】
【図１】図１は本考案に係る二部式帯の説明図である。
【図２】図２は本考案に係る二部式帯の腰帯部（展開した状態）の平面図である。
【図３】図３は本考案に係る二部式帯の飾り部（展開した状態）の平面図である。
【図４】図４は本考案に係る二部式帯の飾り部（展開した状態）の裏面図である。
【図５】図５は本考案に係る二部式帯のお太鼓部（展開した状態）の説明図である。
【図６】図６は本考案に係る二部式帯のテ部（展開した状態）の説明図である。
【図７】図７は本考案に係る二部式帯のお太鼓部の折り返し状態を示す説明図である。
【図８】図８は本考案に係る二部式帯（着付け後）を横方向から見た説明図である。
【図９】図９は本考案に係る二部式帯の着付け状態を後側から見た説明図である。
【図１０】図１０は本考案に係る二部式帯の着付け状態を前側から見た説明図である。
【考案を実施するための形態】
【００１６】
きものの雰囲気の中にウェスタン・スタイルの雰囲気を取り入れるという目的を、簡単な構成で、きものの雰囲気を損なうことなく実現した。
【実施例１】
【００１７】
図１は本考案に係る二部式帯の説明図、図２は本考案に係る二部式帯の腰帯部（展開した状態）の平面図、図３は本考案に係る二部式帯（展開した状態）の飾り部の平面図、図４は本考案に係る二部式帯の飾り部（展開した状態）の裏面図、図５は本考案に係る二部式帯のお太鼓部（展開した状態）の説明図、図６は本考案に係る二部式帯のテ部（展開した状態）の説明図である。
【００１８】
図１において、１０はきものを胴部に固定する腰帯部、１２は腰帯部１０に取り付けられる飾り部である。腰帯部１０及び飾り部１２の表地は可撓性を有するなめし革からなり、腰帯部１０及び飾り部１２の裏地は布からなる。腰帯部１０及び飾り部１２の表地と裏地は袋状に縫製され、腰帯部１０及び飾り部１２の内部にはシート状のクッション材が挿入されている。
【００１９】
腰帯部１０は、図２に示すように、幅広のベルト状になっており、腰帯部１０の両端部にはこの両端部を相互に連結する一対の連結部１４，１４が設けられている。各連結部１４，１４は伸縮性のある調整部１６を介して腰帯部１０の各端部に連結されている。ここで、連結部１４，１４の少なくとも一つは伸縮性のある調整部１６を介して腰帯部１０の端部に連結されている必要がある。腰帯部１０の連結部１４の連結手段としてホック１８が使用されているが、連結部１４の連結手段としては面ファスナーを使用してもよい。
【００２０】
飾り部１２は、図３及び図４に示すように、お太鼓部２０と、お太鼓部２０に縫製・連結されたテ部２２とからなる。ここで、テ部２２は面ファスナーでお太鼓部２０に連結するようにしてもよい。お太鼓部２０は、図５に示すように、一方の端部側が狭くなった長くて略矩形の形状をしており、この例では、裏側にテ部を固定するための面ファスナー２４が取り付けられ、お太鼓部の一方の端部側の裏側には帯止め固定用ループ２６が設けられている。また、テ部２２は、図６に示すように、矩形の形状をしており、裏側に面ファスナー２８，３０が取り付けられている。
【００２１】
上述したように、テ部２２はお太鼓部２０に縫製によって取り付けるようにしてもよいし、面ファスナー２４，３０によって取り付けるようにしてもよい。いずれにしても、お太鼓部２０の一方の端部側である垂れ先側（細くなっていない側）に垂れ部３２を折り畳み形成し、垂れ部３２にテ部２２を略直角に面ファスナー又は縫製によって連結する。
【００２２】
次に、本考案に係る二部式帯の装着方法について図７〜図１０を参照しながら説明する。
【００２３】
まず、きものを羽織り、きものの下方部、腰の高さ付近を自分の両手でそれぞれ摘んで裾の高さ位置を調節し、この状態できものの下方部を腰紐で腰に固定する。次に、腰紐から下方に垂れて形成されたお端折りの外側に腰帯部１０を巻き付け、腰帯部１０の連結部１４，１４を相互に連結する。これで、きものは腰帯部１０によって身体に固定される。
【００２４】
また、お太鼓部２０の裏側にテ部２２を面ファスナーを介して略直角に取り付ける。お太鼓部２０の裏側にテ部２２が縫製してある場合はこの手順は踏まなくてよい。
【００２５】
次に、お太鼓部２０を、図７に示すように、点線ＬＭＮの位置で折り、テ部２２の端部をお太鼓部２０の内部に挿入してお太鼓部２０に固定する。そして、お太鼓部２０の鼻部３４を腰と腰帯部１０の間に差し込む。
【００２６】
この状態で、図８に示すように、お太鼓部２０の内部の上位置に帯枕３６を入れて腰の前で結び、帯枕の上に帯揚げを締め、更に、帯締めでお太鼓部２０を腰帯部１０に固定する。
【００２７】
以上、説明したようにして、本考案に係る二部式帯を締めると、図９及び図１０に示すような美しい帯姿になる。
【符号の説明】
【００２８】
１０  腰帯部
１２  飾り部
１４  連結部
１６  調整部
１８  ホック
２０  お太鼓部
２２  テ部
２４  面ファスナー
２６  ループ
２８  面ファスナー
３０  面ファスナー
３２  垂れ部
３４  鼻部
３６  帯枕
【図１】
0003159858.tif 000003
【図２】
0003159858.tif 000004
【図３】
0003159858.tif 000005
【図４】
0003159858.tif 000006
【図５】
0003159858.tif 000007
【図６】
0003159858.tif 000008
【図７】
0003159858.tif 000009
【図８】
0003159858.tif 000010
【図９】
0003159858.tif 000011
【図１０】
0003159858.tif 000012